(57)【要約】【課題】  本発明の画像処理装置は、降温制御の実行中に、ファクス送信時の通信エラーを減らしつつ、他の種類のジョブの実行時にはモータの温度の上昇を抑えることを目的とする。【解決手段】  本発明に記載の画像処理装置は、駆動部を駆動して、原稿を１枚ずつ搬送する搬送手段と、原稿上の画像を読み取る読取手段と、他の画像処理装置にファクス送信する送信手段と、ファクス送信と異なる方法で出力する出力手段と、次の原稿の搬送までに、前記駆動部の駆動を停止する停止時間を設定する設定手段と、前記停止時間、前記駆動部を停止させてから次の原稿を搬送させる制御手段、を有し、画像データを送信する第１のジョブ種のジョブの実行時の第１の停止時間は、前記他の画像処理装置との通信が途切れるまでの所定の時間よりも短く、第２のジョブ種のジョブの実行時の第２の停止時間は、前記第１の停止時間よりも長いことを特徴とする。【選択図】  図６
2019068245.tif 000002
【特許請求の範囲】
【請求項１】
駆動部を駆動して、原稿束から原稿を１枚ずつ搬送する搬送手段と、
前記搬送手段により搬送された原稿上の画像を読み取る読取手段と、
前記読取手段により原稿上の画像を読み取ることで生成される画像データを他の画像処理装置にファクス送信する送信手段と、
前記読取手段により原稿上の画像を読み取ることで生成される画像データをファクス送信と異なる方法で出力する出力手段と、を有する、画像処理装置において、
原稿束から原稿の搬送を完了してから次の原稿の搬送を開始するまでに、前記駆動部の駆動を停止する停止時間を設定する設定手段と、
前記搬送手段が所定の条件を満たしたことを検知して、前記搬送手段による前記原稿の搬送を完了した後、前記設定手段により設定された停止時間、前記駆動部を停止させてから、前記搬送手段により次の原稿を搬送させる制御手段、を有し、
前記送信手段により画像データを送信する第１のジョブ種のジョブの実行時に前記駆動部を停止する第１の停止時間は、前記他の画像処理装置が前記送信手段によりファクス送信された画像データを受信してから前記他の画像処理装置との通信が途切れるまでの所定の時間よりも短く、
前記出力手段により画像データを出力する第２のジョブ種のジョブの実行時に前記駆動部を停止する第２の停止時間は、前記第１の停止時間よりも長いことを特徴とする画像処理装置。
【請求項２】
前記画像処理装置は、前記搬送手段により搬送された原稿の枚数を数えるカウント手段をさらに有し、
前記所定の条件は、前記カウント手段により数えられた原稿の枚数が閾値よりも多いことであることを特徴とする請求項１に記載の画像処理装置。
【請求項３】
ジョブの種類と停止時間を対応づけて記憶する記憶手段と、
前記設定手段は、実行するジョブ種に対応づけられた停止時間を前記駆動部の停止時間として設定することを特徴とする請求項２に記載の画像処理装置。
【請求項４】
前記記憶手段は、ジョブの種類と原稿の枚数の閾値を対応づけて記憶することを特徴とする請求項３に記載の画像処理装置。
【請求項５】
前記カウント手段は、前記搬送手段による原稿の搬送が完了してからの経過時間に従って、前記カウント手段のカウントをリセットすることを特徴とする請求項３または４に記載の画像処理装置。
【請求項６】
前記記憶手段は、ジョブの種類とカウント手段により数えられた原稿の枚数をリセットするまでの時間を対応づけて記憶しており、
前記カウント手段は、前記読取手段による原稿の読み取りが完了してからの経過時間が実行されるジョブの種類に対応づけて記憶された前記時間よりも長い場合、カウントをリセットすることを特徴とする請求項５に記載の画像処理装置。
【請求項７】
前記搬送手段による原稿の搬送が完了してからの時間を計測する計測手段をさらに有し、
前記カウント手段は、前記計測手段により計測された時間が前記記憶手段に記憶されたカウント手段によりカウントされた原稿の枚数をリセットするまでの時間を超えたことに従って、前記カウント手段のカウントをリセットすることを特徴とする請求項６に記載の画像処理装置。
【請求項８】
前記出力手段は、前記読取手段により原稿を読み取ることにより生成された画像データを印刷する印刷手段であり、
前記第２のジョブ種は、前記読取手段により原稿を読み取ることで生成される画像データを用いて前記印刷手段により画像を印刷するジョブであることを特徴とする請求項１乃至７のいずれか一項に記載の画像処理装置。
【請求項９】
前記出力手段は、前記読取手段により原稿を読み取ることにより生成された画像データを前記画像処理装置に接続された記憶装置に記憶させるメモリ制御手段であり、
前記第２のジョブ種は前記メモリ制御手段により、前記記憶装置に画像データを記憶するジョブであることを特徴とする請求項１乃至７のいずれか一項に記載の画像処理装置。
【請求項１０】
前記第２のジョブ種に従って、前記設定手段により設定される前記停止時間は前記所定の時間よりも長いことを特徴とする請求項１乃至９のいずれか一項に記載の画像処理装置。
【請求項１１】
前記所定の時間は前記送信手段による送信ジョブに用いられる通信規格により決められた時間であり、受信する画像データがないことに従って通信が切断される時間であることを特徴とする請求項１乃至１０のいずれか一項に記載の画像処理装置。
【請求項１２】
前記画像処理装置は、前記他の画像処理装置から信号を受信しなくなったことに従って、前記他の画像処理装置との通信が切断されたと判定することを特徴とする請求項１乃至１１のいずれか一項に記載の画像処理装置。
【請求項１３】
前記画像処理装置は、画面を表示する表示手段をさらに有し、
ジョブの実行を指示するユーザ操作を受け付けて、前記表示手段に表示されているジョブの種類を記憶することを特徴とする請求項１乃至１２のいずれか一項に記載の画像処理装置。
【請求項１４】
駆動部を駆動して、原稿束から原稿を１枚ずつ搬送する搬送手段と、
前記搬送手段により搬送された原稿上の画像を読み取る読取手段と、
前記読取手段により原稿上の画像を読み取ることで生成される画像データをファクス送信する送信手段と、
前記読取手段により原稿上の画像を読み取ることで生成される画像データをファクス送信と異なる方法で出力する出力手段と、を有する、画像処理装置において、
原稿束から原稿の搬送を完了してから次の原稿の搬送を開始するまでに前記駆動部の駆動を停止する停止時間を設定する設定手段と、
前記搬送手段が所定の条件を満たしたことを検知して、前記搬送手段による前記原稿の搬送を完了した後、前記設定手段により設定された停止時間、前記駆動部を停止させてから、前記搬送手段に次の原稿を搬送させる制御手段、を有し、
前記送信手段により画像データをファクス送信する第１のジョブ種において設定される前記停止時間は、前記出力手段により画像データを出力する第２のジョブ種において設定される前記停止時間よりも短いことを特徴とする画像処理装置。
【請求項１５】
前記画像処理装置は、前記搬送手段により搬送された原稿の枚数を数えるカウント手段と、を有し、
前記所定の条件は、前記カウント手段の数えた原稿の枚数が閾値よりも多いことを特徴とする請求項１４に記載の画像処理装置。
【請求項１６】
前記搬送手段が原稿の搬送を完了してからの時間を計測する計測手段をさらに有し、
前記計測手段により計測された時間に従って、前記カウント手段のカウントをリセットすることを特徴とする請求項１５に記載の画像処理装置。
【請求項１７】
ジョブの種類と停止時間を対応づけて記憶する記憶手段をさらに有し、
前記設定手段は、実行されるジョブの種類に対応づけて前記記憶手段に記憶される停止時間を設定することを特徴とする請求項１５または１６に記載の画像処理装置。
【請求項１８】
前記記憶手段は前記ジョブの種類と前記閾値を対応づけて記憶することを特徴とする請求項１７に記載の画像処理装置。
【請求項１９】
前記送信手段により画像データを送信する第１のジョブ種に従って設定される前記停止時間は、前記送信手段による送信ジョブに用いられる通信規格により決められた時間であり、受信する画像データがないことで画像データを送信する画像処理装置との通信を切断する時間よりも短い時間であることを特徴とする請求項１４乃至１８のいずれか一項に記載の画像処理装置。
【請求項２０】
駆動部を駆動して、原稿束から原稿を１枚ずつ搬送する搬送手段と、
前記搬送手段により搬送された原稿を読み取る読取手段と、
前記読取手段により原稿を読み取ることで生成される画像データを他の画像処理装置にファクス送信する送信手段と、
前記読取手段により原稿を読み取ることで生成される画像データをファクス送信と異なる方法で出力する出力手段と、を有する画像処理装置の制御方法において、
前記搬送手段が原稿束から原稿の搬送を完了してから、次の原稿の搬送を開始するまでに前記駆動部の駆動を停止する停止時間を設定する設定工程と、
前記搬送手段が所定の条件を満たしたことを検知して、前記搬送手段による前記原稿の搬送を完了した後、前記設定工程において設定された停止時間、前記駆動部を停止させてから、前記搬送手段により次の原稿を搬送させる制御工程、を有し、
前記送信手段により画像データをファクス送信する第１のジョブ種のジョブの実行時に前記駆動部を停止する第１の停止時間は、前記他の画像処理装置が前記送信手段により送信された画像データを受信してから前記他の画像処理装置との通信が途切れるまでの所定の時間よりも短く、
前記出力手段により画像データを出力する第２のジョブ種のジョブの実行時に前記駆動部を停止する第２の停止時間は、前記第１の停止時間よりも長いことを特徴とする画像処理装置の制御方法。
【請求項２１】
駆動部を駆動して、原稿束から原稿を１枚ずつ搬送する搬送手段と、
前記搬送手段により搬送された原稿を読み取る読取手段と、
前記読取手段により原稿を読み取ることで生成される画像データをファクス送信する送信手段と、
前記読取手段により原稿を読み取ることで生成される画像データをファクス送信と異なる方法で出力する出力手段と、を有し、画像処理装置の制御方法において、
前記画像処理装置により実行されるジョブの種類に従って、前記搬送手段により原稿束から原稿の搬送を完了してから、次の原稿の搬送を開始するまでに前記駆動部の駆動を停止する停止時間を設定する設定工程と、
前記搬送手段が所定の条件を満たしたことを検知して、前記搬送手段による前記原稿の搬送を完了した後、前記設定工程において設定された停止時間、前記駆動部を停止させてから、前記搬送手段に次の原稿を搬送させる制御工程と、を有し、
前記送信手段により画像データをファクス送信する第１のジョブ種において設定される前記停止時間は、前記出力手段により画像データを出力する第２のジョブ種において設定される前記停止時間よりも短いことを特徴とする画像処理装置の制御方法。
【請求項２２】
請求項２０または請求項２１に記載の画像処理装置の制御方法をコンピュータに実行させるためのプログラム。
【発明の詳細な説明】
【技術分野】
【０００１】
本発明は、原稿束から原稿を一枚ずつ搬送する自動原稿給紙送装置を有する画像処理装置とその制御方法、およびプログラムに関する。
【背景技術】
【０００２】
自動原稿給紙装置（ＡＤＦ：  Ａｕｔｏ  Ｄｏｃｕｍｅｎｔ  Ｆｅｅｄｅｒ）を有する画像処理装置は、自動原稿給紙装置に載置された原稿束から原稿を一枚ずつ搬送し、当該原稿上の画像を読み取ることのより画像データを生成する。画像処理装置により原稿を読み取ることで生成された画像データはコピーや、ファクシミリ送信等のジョブに用いられる。
【０００３】
ＡＤＦが搬送する原稿の枚数が多くなると、原稿を搬送するための各種ローラを駆動するためのモータが連続して駆動される。モータが長時間連続して駆動されるとモータの温度が上がってしまうため、画像処理装置が、原稿を１枚搬送する毎に、モータを停止させモータの温度上昇を抑制する降温制御を行うことが知られている（特許文献１）。
【０００４】
特許文献１のように、原稿を１枚搬送する毎にモータの駆動を止める画像処理装置では、モータの停止時間は、ジョブ種に関わらず一定である。また、上記のような画像処理装置では、モータの停止時間が長いほど、モータの温度上昇は抑制される。
【先行技術文献】
【特許文献】
【０００５】
【特許文献１】特開２０１０−５４９０８号公報
【発明の概要】
【発明が解決しようとする課題】
【０００６】
上記のような画像処理装置が実行することのできるジョブには、ファクス送信ジョブがある。ファクス送信ジョブは、スキャナで原稿上の画像を読み取ることにより生成された画像データをファクスの通信規格に則って送信するジョブである。ファクスの通信規格では、受信する画像データなしの状態が所定時間連続したときに、受信側の画像処理装置にタイムアウトを通知することが規定されている。このとき、受信側の画像処理装置がタイムアウトの通知に従って、送信側の画像処理装置との通信を切断する。すると、送信側の画像処理装置は画像データの送信を継続することができなくなり、ファクス送信ジョブが中断される。原稿搬送中にモータの停止時間を上記所定時間よりも長くしてしまうと、受信側の画像処理装置において受信する画像データがない状態が所定時間以上続いてしまい、受信側の画像処理装置にタイムアウトが通知されてしまう。そこで、ファクス送信ジョブでは、降温制御の動作中、送信側の画像処理装置においてモータの駆動を停止する時間を所定時間よりも短くすることが好ましい。
【０００７】
しかし、ファクス送信ジョブと異なるジョブ種では、次に処理する画像データがない時間が連続してもジョブは中止されない。そこで、ファクス送信ジョブと異なるジョブ種では、モータの温度上昇をファクス送信ジョブの実行時よりも抑制するために、モータの停止時間をファクス送信ジョブに比べて長くすることが望ましい。
【０００８】
本発明に記載の画像処理装置は、モータの温度の上昇を抑制する降温制御の実行中に、ファクス送信時の通信エラーを減らしつつ、他の種類のジョブの実行時にはモータの温度の上昇をファクス送信時よりも抑えることを目的とする。
【課題を解決するための手段】
【０００９】
以下、上記の課題を解決するための画像処理装置は以下の構成を有する。
【００１０】
駆動部を駆動して、原稿束から原稿を１枚ずつ搬送する搬送手段と、前記搬送手段により搬送された原稿上の画像を読み取る読取手段と、前記読取手段により原稿上の画像を読み取ることで生成される画像データを他の画像処理装置にファクス送信する送信手段と、前記読取手段により原稿上の画像を読み取ることで生成される画像データをファクス送信と異なる方法で出力する出力手段と、を有する、画像処理装置において、原稿束から原稿の搬送を完了してから次の原稿の搬送を開始するまでに、前記駆動部の駆動を停止する停止時間を設定する設定手段と、前記搬送手段が所定の条件を満たしたことを検知して、前記搬送手段による前記原稿の搬送を完了した後、前記設定手段により設定された停止時間、前記駆動部を停止させてから、前記搬送手段により次の原稿を搬送させる制御手段、を有し、前記送信手段により画像データをファクス送信する第１のジョブ種のジョブの実行時に前記駆動部を停止する第１の停止時間は、前記他の画像処理装置が前記送信手段により送信された画像データを受信してから前記他の画像処理装置との通信が途切れるまでの所定の時間よりも短く、前記出力手段により画像データを出力する第２のジョブ種のジョブの実行時に前記駆動部を停止する第２の停止時間は、前記第１の停止時間よりも長いことを特徴とする。
【発明の効果】
【００１１】
本発明に記載の画像処理装置は、モータの温度の上昇を抑制する降温制御の実行中に、ファクス送信時の通信エラーを減らしつつ、他の種類のジョブの実行時にはモータの温度の上昇をファクス送信ジョブに比べて抑えることができる。
【図面の簡単な説明】
【００１２】
【図１】本実施例における画像処理装置１のハードウェア構成の一例を示すブロック図である。
【図２】画像処理装置１のスキャナ１１２の内部構造を示す縦断面図である。
【図３】画像処理装置１のスキャナ１１２のハードウェア構成の一例を示すブロック図である。
【図４】図１に示した操作部１１１の構成および、ディスプレイ６００に表示される画面の例を示す図である。
【図５】画像処理装置１が降温制御を実行するときのパラメータを記憶するテーブルを示した図である。
【図６】画像処理装置１が降温制御を実行するときの動作の模式図である。
【図７】本実施例における画像処理装置１のスキャン処理の流れを示したフローチャートである。
【図８】本実施例における画像処理装置１のＡＤＦスキャンの処理の流れを示したフローチャートである。
【発明を実施するための形態】
【００１３】
以下、本発明を実施するための最良の形態について、図面を用いて説明する。
【００１４】
図１は、本実施形態の画像処理装置として機能する画像処理装置１のハードウェア構成の一例を示すブロック図である。
【００１５】
画像処理装置１は、ＣＰＵ１０１、ＲＡＭ１０２、ＲＯＭ１０３、ファクシミリＩ／Ｆ１０４、操作部Ｉ／Ｆ１０５、スキャナＩ／Ｆ１０６、プリンタＩ／Ｆ１０７、ネットワークＩ／Ｆ１０８、ＮＶＲＡＭ１１５、ＵＳＢ  Ｉ／Ｆ１１６を備える。
【００１６】
また、画像処理装置１は、モデム１１０、操作部１１１、スキャナ１１２、プリンタ１１３、ＮＩＣ１１４を備える。
【００１７】
なお、ＣＰＵは、Ｃｅｎｔｒａｌ  Ｐｒｏｃｅｓｓｉｎｇ  Ｕｎｉｔの略称であり、ＲＡＭは、Ｒａｎｄｏｍ  Ａｃｃｅｓｓ  Ｍｅｍｏｒｙの略称である。ＲＯＭは、Ｒｅａｄ  Ｏｎｌｙ  Ｍｅｍｏｒｙの略称で、ＮＩＣは、Ｎｅｔｗｏｒｋ  ｉｎｔｅｒｆａｃｅ  ｃｏｎｔｒｏｌｌｅｒの略である。
【００１８】
ＣＰＵ１０１は、画像処理装置１の全体の動作を制御している。ＣＰＵ１０１は、ＲＯＭ１０３に記憶されているプログラムに従って、システムバス１０９に接続される各デバイスを総括的に制御している。
【００１９】
ＲＡＭ１０２は、ＣＰＵ１０１の主メモリ、ワークエリア等として機能すると共に、画像情報の蓄積領域としても用いられる。
【００２０】
ＲＯＭ１０３は、各種フォント、ＣＰＵ１０１により実行される各種制御プログラムおよび各種データを記憶している。ＮＶＲＡＭ（Ｎｏｎ−Ｖｏｌａｔｉｌｅ  ＲＡＭ：不揮発性ＲＡＭ）１１５はファクシミリＩ／Ｆ１０４を介して受信されたファクシミリ原稿を記憶する。ＮＶＲＡＭ１１５は、不揮発のメモリである。そのため、画像処理装置１の電源がＯＦＦされた場合であっても、ＮＶＲＡＭ１１５はファクシミリＩ／Ｆ１０４を介して受信された画像データを保持することができる。更に、ＮＶＲＡＭ１１５は、スキャン・カウンタと、スキャン完了後の経過時間を記憶する。スキャン・カウンタは、スキャナ１１２のＡＤＦ２０１が搬送した原稿の枚数をカウントするカウンタである。スキャン完了後の経過時間は、画像処理装置１がモータの温度上昇を抑制する降温制御を行っている間であって、最後に原稿の搬送を完了してからの経過時間を示す値である。
【００２１】
ファクシミリＩ／Ｆ１０４は、モデム１１０を介して公衆回線（ＰＳＴＮ：Ｐｕｂｌｉｃ  Ｓｗｉｔｃｈｅｄ  Ｔｅｌｅｐｈｏｎｅ  Ｎｅｔｗｏｒｋ）２に接続されている。画像処理装置１は、この公衆回線２を介して他のファクシミリ装置とファクシミリ情報の送受信が可能である。
【００２２】
なお、ファクシミリＩ／Ｆ１０４は、スキャナＩ／Ｆ１０６を介して入力したスキャン画像を公衆回線２へ送信する。また、ファクシミリＩ／Ｆ１０４は、公衆回線２を介して受信したファクシミリ原稿をＮＶＲＡＭ１１５へ記憶する制御を行う。
【００２３】
操作部Ｉ／Ｆ１０５は、画像処理装置１の各種設定を行うための操作部１１１を制御するためのインタフェースである。なお、操作部１１１には、入力装置としてのタッチパネルやテンキーを備え、表示装置としてのディスプレイを備える。
【００２４】
スキャナＩ／Ｆ１０６は、スキャナエンジンであるスキャナ１１２を制御するためのインタフェースである。
【００２５】
プリンタＩ／Ｆ１０７は、プリンタエンジンであるプリンタ１１３を制御するためのインタフェースである。画像処理装置１は、プリンタＩ／Ｆ１０７を介してプリンタ１１３を制御することで、スキャナ１１２により原稿を読み取ることで生成された画像データを用いて画像を出力する。
【００２６】
ネットワークＩ／Ｆ１０８は、有線ＬＡＮや無線ＬＡＮからなるＮＩＣ１１４を制御している。ネットワークＩ／Ｆ１０８は、ネットワーク３を介してプリントジョブを受信したり、スキャナＩ／Ｆ１０６が取得する画像データの送信を行う。
【００２７】
ＵＳＢ  Ｉ／Ｆ１１６は、画像処理装置１に接続可能な記憶装置であるＵＳＢメモリを制御するためのインタフェースである。画像処理装置１は、スキャナ１１２が原稿を読み取ることで生成された画像データをＵＳＢ  Ｉ／Ｆ１１６を介してＵＳＢメモリに記憶させるメモリ制御を行う。ＵＳＢ  Ｉ／Ｆ１１６は、画像処理装置１に接続されるＵＳＢメモリに画像データを出力する。
【００２８】
図２は、画像処理装置１のスキャナ１１２の内部構造を示す縦断面図である。
【００２９】
スキャナ１１２は、ＡＤＦ２０１、給紙トレイ２０２、排紙トレイ２０３、プラテンガラス２０４、スキャナユニット２０５、で構成される。
【００３０】
ＡＤＦ２０１は、給紙トレイ２０２に置かれた原稿束Ｓから原稿を１枚ずつ搬送路Ｐに沿って搬送する。ＡＤＦ２０１は原稿を１枚搬送し、搬送した原稿を排紙トレイ２０３に排紙した後、次の原稿を搬送路Ｐに搬送する。
【００３１】
ＡＤＦ２０１は、給紙トレイ２０２から搬送された原稿上の画像をスキャナユニット２０５で読み取り、排紙部である排紙トレイ２０３に排出する。
【００３２】
図２を用いて、原稿が給紙されてから排紙されるまでの動作を説明する。まず、給紙トレイ２０２に載置された原稿束Ｓが、給紙ローラＲ１と分離ローラＲ２により１枚ずつに分離される。そして、１枚ずつに分離された原稿は、搬送路Ｐへと給送される。
【００３３】
搬送路Ｐ上の大ローラＲ５は、分離・給送されてきた原稿を、搬送ローラＲ３に搬送する。搬送ローラＲ３のさらに下流側には、排紙ローラＲ４があり、搬送されてきた原稿をニップして排紙トレイ２０３に排出する。
【００３４】
なお、詳細な機構の説明は省略するが、ＡＤＦ２０１は、両面原稿を読み取るために、原稿の表面と裏面とを入れ替える反転搬送路ＲＰ（Ｒｅｖｅｒｓｅ−Ｐａｔｈ）を有する。本実施形態では、ＡＤＦ２０１が原稿を一度、排紙トレイ２０３に向かって搬送した後、各ローラを逆回転させ、当該原稿を反転搬送路ＲＰに搬送する。そして、反転搬送路ＲＰから再び、搬送路Ｐに原稿を搬送する。このようにすることで、スキャナユニット２０５は、原稿の両面を読み取ることができる。本実施形態では、１つのスキャナユニットで原稿の両面を読み取る構成とした。しかし、スキャナユニットを２つ備え、それぞれのスキャナユニットで原稿の表面と裏面のそれぞれを読み取るとしてもよい。
【００３５】
なお、各ローラは、後述する図３の原稿搬送部３０１のＡＤＦモータ駆動回路３１１により制御される。
【００３６】
スキャナユニット２０５は、ＡＤＦ２０１により搬送された原稿の画像や、プラテンガラス２０４上に載せられた原稿を読み取る。スキャナユニット２０５は後述するスキャナユニット制御部３０２によって制御される。
【００３７】
ＡＤＦ２０１により搬送された原稿の画像を読み取る場合、スキャナ１１２はスキャナユニット２０５による読み取り位置を固定する。一方、プラテンガラス２０４上の原稿の画像読み取る場合、スキャナ１１２はスキャナユニット２０５を図２の矢印方向である副走査方向に移動させながら原稿を読み取る。
【００３８】
なお、スキャナユニット２０５の詳細は省略するが、スキャナユニット２０５は原稿に光を照射するＬＥＤ、原稿からの反射光を導入するレンズ、画像を検知するためのイメージセンサ等が一体的に配備されたユニットにより構成される。
【００３９】
図３は、画像処理装置１のスキャナ１１２のハードウェア構成の一例を示すブロック図である。スキャナ１１２は、ＡＤＦ２０１を制御する原稿搬送部３０１と、プラテンガラス２０４に内蔵されたスキャナユニット２０５を制御するスキャナユニット制御部３０２とで構成される。
【００４０】
原稿搬送部３０１は、ＡＤＦモータ３１２とＡＤＦモータ駆動回路３１１で構成される。ＡＤＦモータ３１２は、ＡＤＦ２０１が原稿を給紙、搬送するために必要なローラを駆動するためのモータであり、駆動部として機能する。ＡＤＦモータ駆動回路３１１は、ＣＰＵ１０１からの指示に従って、上記のローラの回転開始や停止を制御するための回路である。ＡＤＦモータ駆動回路３１１は、上記モータの回転方向等も制御することができる。
【００４１】
ＡＤＦモータ３１２の駆動力は不図示のギアを経由して、図２で示した給紙ローラＲ１、分離ローラＲ２、搬送ローラＲ３、排紙ローラＲ４、大ローラＲ５などに伝えられる。
【００４２】
スキャナユニット制御部３０２は、スキャナモータ３２２とスキャナモータ駆動回路３２１で構成される。スキャナモータ３２２は、スキャナユニット２０５の移動を制御するためのモータである。スキャナモータ駆動回路３２１は、ＣＰＵ１０１からの指示に従ってスキャナユニット２０５の駆動を制御するための回路である。スキャナモータ駆動回路３２１の制御によりスキャナユニット２０５を副走査方向に移動させることができる。
【００４３】
なお、スキャナユニット制御部３０２は、ＣＰＵ１０１からの指示に従ってスキャナユニット２０５に含まれる図示しないＬＥＤ、レンズ、イメージセンサを制御する機能を有する。
【００４４】
次に、図４を用いてユーザが画像処理装置１においてジョブを実行するまでの操作を説明する。
【００４５】
操作部１１１は、ディスプレイ６００、テンキー６０３、クリア／ストップキー６０４、スタートキー６０５で構成される。ディスプレイ６００は、ジョブの設定値等を表示するディスプレイであり、ユーザによるタッチ操作を受け付けるタッチパネルを備えている。テンキー６０３は、数字を入力するための物理キーである。ユーザは、テンキー６０３を用いてコピーの部数やファクス送信時の送信先のファクス番号の入力を行うことができる。クリア／ストップキー６０４は、ディスプレイ６００に表示されているジョブの設定をリセットしたり、実行中のジョブを停止させるためのキーである。スタートキー６０５は、ジョブを開始するためのキーである。ユーザがスタートキー６０５を押下したことに従って、画像処理装置１はディスプレイ６００を介して設定された設定値でジョブを実行する。
【００４６】
図４は、ディスプレイ６００に表示されるコピージョブの設定値を設定するためのコピーの基本画面の一例である。コピーの基本画面はメニュー領域６０１と機能表示領域６０２で構成される。メニュー領域６０１はユーザが使用する機能を選択するための領域である。メニュー領域６０１を介して選択されたジョブの種類はＲＡＭ１０２に記憶される。
【００４７】
「コピー」はスキャナ１１２を用いて原稿を読み取ることにより画像データを生成し、プリンタ１１３で画像を印刷する機能である。
【００４８】
「高速コピー」は、「コピー」よりも短い時間で原稿を読み取り、印刷を行う機能である。高速コピージョブは、通常のコピージョブよりもスキャナ１１２による読取解像度を低くすることで、原稿の読み取りにかかる時間を短くしたジョブである。高速コピージョブは、ＡＤＦ２０１が原稿を搬送するためのモータの回転数が他の種類のジョブと比較して高く、モータへの負荷が大きい。また、高速コピージョブは、原稿１枚当たりを搬送するときにモータに蓄えられる熱量が他の種類のジョブと比較して大きい。
【００４９】
本実施形態において、高速コピージョブは、メニュー領域６０１で「高速コピー」が選択された場合に実行されるとして説明した。高速コピーをコピーの基本画面から設定することができるとしてもよい。たとえば、コピーの基本画面で「原稿の種類」を設定するときに、高速コピーを選択することができるとしてもよい。
【００５０】
「ファクシミリ送信」は、スキャナ１１２を介して原稿を読み取ることにより生成された画像データを、公衆回線２を介して送信する機能である。「ファクシミリ送信」機能では、スキャナ１１２による原稿の読み取りと、当該原稿を読み取りことで生成された画像データの送信が並行して行われる。
【００５１】
「スキャンして保存」は、スキャナ１１２を介して原稿を読み取ることで得られた画像データをＵＳＢ  Ｉ／Ｆ１１６を介して、画像処理装置１に接続されたＵＳＢメモリに保存する機能である。
【００５２】
機能表示領域６０２はメニュー領域６０１でユーザにより選択された機能の設定を行う画面を表示する領域である。図４では、メニュー領域６０１において「コピー」が選択されたとして、コピー機能の基本画面が表示されている。メニュー領域６０１で機能が選択されたことに従って、画像処理装置１は機能表示領域６０２に表示される画面を切り替える。機能表示領域６０２において設定された設定値はＲＡＭ１０２に記憶される。
【００５３】
図５、図６を用いて、本実施形態に記載の画像処理装置１がジョブを実行するときの動作を説明する。ＡＤＦ２０１が搬送した原稿の枚数がジョブの種類に応じて決められるスキャン枚数４０２よりも多くなった場合、画像処理装置１はＡＤＦモータ３１２の温度の上昇を抑制するための降温制御を実行する。
【００５４】
図５は、画像処理装置１が降温制御を行う際に用いる降温制御情報テーブルである。降温制御情報テーブルはＲＯＭ１０３に格納されている。
【００５５】
「ジョブ種」４０１は、画像処理装置１が実行するジョブの種類である。本実施形態では、ジョブ種をジョブの実行時にモータに係る負荷等によって「高速コピージョブ」、「ファクシミリ送信ジョブ」、「コピージョブ・スキャンジョブ」に分類した。分類は上記の３つでなくても構わない。「高速コピージョブ」はメニュー領域６０１で「高速コピー」が選択されたときに実行されるジョブである。「ファクシミリ送信ジョブ」は、メニュー領域６０１で「ファクシミリ送信」が選択されたときに実行されるジョブである。「コピージョブ・スキャンジョブ」は、メニュー領域６０１において「コピー」または「スキャンして保存」が選択されたときに実行されるジョブである。
【００５６】
「スキャン枚数」４０２は、画像処理装置１が降温制御を開始するまでにＡＤＦ２０１が連続して搬送する原稿の枚数である。たとえば、高速コピージョブが実行される場合、ＡＤＦ２０１によって連続して搬送された原稿の枚数が１５０枚を超えたら、ＣＰＵ１０１は降温制御を開始する。ＣＰＵ１０１は、ＡＤＦ２０１が連続して搬送した原稿の枚数に従って、降温制御を行うか否かを判定する。このようにすることで、モータの温度を計測する温度計や機構を有さなくとも、画像処理装置１はモータの温度が上がりすぎないよう降温制御を開始することができる。
【００５７】
「スキャン枚数」４０２は、各種類のジョブを実行したときに、モータの温度が有る閾値（例えば、１００℃）以上になるまでにＡＤＦ２０１が搬送した原稿の枚数に基づいて決定される。そのため、「スキャン枚数」４０２はジョブの種類によって異なる。たとえば、ＡＤＦ２０１のモータの回転速度の速い高速コピージョブは、他の種類のジョブよりもモータの温度が上がりやすいので、降温制御が開始されるまでのスキャン枚数を他の種類のジョブに比べて少なく設定される。また、ファクシミリ送信ジョブは、スキャンジョブやコピージョブに比べて降温制御中のモータ停止時間が短いため、モータの温度が高くなりやすい。そこで、ファクシミリ送信ジョブのスキャン枚数は、スキャンジョブやコピージョブのスキャン枚数よりも少なく設定される。
【００５８】
本実施形態では、上記のようにジョブ種によって異なるスキャン枚数を設定することとする。しかしながら、ジョブ種に関係なく、スキャン枚数を一定にしてもよい。その場合には、モータの回転数が高く、モータの温度が上がりやすい高速コピージョブのスキャン枚数に他の種類のジョブのスキャン枚数を合わせることが好ましい。
【００５９】
「リセット時間」４０３は、画像処理装置１が降温制御を開始してから、ＡＤＦ２０１が搬送した原稿の枚数をカウントするカウンタがリセットされるまでの時間である。画像処理装置１は、ＡＤＦ２０１が原稿の搬送を完了してから次の原稿の搬送を開始するまでの時間を計測する。計測された時間が「リセット時間」４０３として記憶された時間よりも長い場合、ＣＰＵ１０１はスキャン枚数をカウントするスキャン・カウンタのカウントを０にする。一方、計測された時間が「リセット時間」４０３よりも短い場合、ＣＰＵ１０１は原稿の読み取りに従ってスキャン・カウンタを１増やす。「リセット時間」４０３は、ＡＤＦモータ３１２を降温制御情報テーブルに記載の「スキャン枚数」４０２、「モータ停止時間」４０４で駆動させた場合に、モータの温度が通常温度（例えば、６０℃）まで下がるのに必要な時間に基づいて決定される。本実施形態では、高速コピージョブの場合、原稿の搬送が完了してから、次の原稿が搬送されるまでに５分以上経過した場合に、ＣＰＵ１０１がスキャン・カウンタをリセットする。ＡＤＦモータ３１２の回転速度が同じ場合、後述する「モータ停止時間」４０４が短いほど、「リセット時間」４０３は長くなり、「モータ停止時間」４０４が長いほど、「リセット時間」４０３が短くなる。原稿の搬送が完了してから、スキャン・カウンタをリセットするまでに時間を設けることで、連続してジョブが実行された場合であっても、スキャン枚数に応じて降温制御を行うことができる。これにより、連続してジョブが実行される場合に、モータの温度が上がってしまうのを抑制することができる。
【００６０】
「モータ停止時間」４０４は、画像処理装置１が降温制御で動作する間に、原稿の搬送を完了してから、次の原稿の搬送を開始するまでにＣＰＵ１０１がモータを停止させる時間である。ファクス送信ジョブにおいて、「モータ停止時間」４０４は、ファクス送信ジョブを実行したときに、次に送信する画像データがなくてもジョブが中断されないような時間に基づいて決定された時間である。ファクス送信では、Ｉｎｔｅｒｎａｔｉｏｎａｌ  ｔｅｌｅｃｏｍｍｕｎｉｃａｔｉｏｎ  ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒが標準化した国際規格が用いられる。ファクスの通信規格であるＧ３（Ｇｒｏｕｐ  ３  Ｆａｃｓｉｍｉｌｅ）規格を用いたファクス送受信では、ファクスを受信する画像処理装置において、６秒受信する画像データがない状態が継続された場合、通信エラーを通知する。画像データを受信する画像処理装置は、受信する画像データがない状態が６秒以上続いた場合、送信側の画像処理装置との通信を切断する。送信側の画像処理装置は、画像データを送信してから一定時間、受信側から信号を受信しない場合、受信側の画像処理装置との通信が途切れたと判定する。受信側の画像処理装置との通信が途切れたことに従って、送信側の画像処理装置は、生成した画像データを受信側の画像処理装置に送信することができなくなる。通信エラーを起こすことなく画像データを送信するためには、画像データを送信する画像処理装置は、受信側の画像処理装置が１ページ前の画像データの受信を完了してから６秒以内に次の原稿の画像データを生成して、送信しなくてはならない。そこで、ファクス送信ジョブの実行中のモータ停止時間４０４は６秒よりも短く設定される。ファクス送信に用いられる規格はＧ３ファクスに限らず、ファクス送信ジョブのモータ停止時間はファクス送信に用いられる通信規格で決められた受信する画像データがない状態で通信エラーを通知するまでの時間に基づいて決められた値であればよい。
【００６１】
一方で、高速コピージョブ、コピージョブ・スキャンジョブの場合、モータ停止時間をファクス送信ジョブに対応するモータ停止時間よりも長くする。このようにすることで、高速コピージョブやコピージョブ・スキャンジョブで、画像処理装置１はモータの温度の上昇を抑制する。また、高速コピージョブやコピージョブ・スキャンジョブでモータ停止時間をファクス送信ジョブよりも短くすることで、リセット時間をファクス送信ジョブよりも短く設定することが可能となる。高速コピージョブ、コピージョブ・スキャンジョブに対するモータ停止時間は図５に記載の時間より長くてもよい。
【００６２】
また、本実施形態において、高速コピージョブのモータ停止時間は、コピージョブ・スキャンジョブのモータ停止時間よりも長い時間である。高速コピージョブは、コピージョブ・スキャンジョブと比べて、ジョブの実行時に回すモータの回転数が多く、モータの温度が上昇しやすい。そこで、高速コピージョブでは、コピージョブ・スキャンジョブよりもモータの停止時間を長くすることで、モータの温度が上昇してしまうのを抑制する。
【００６３】
画像処理装置１は、上記の図５に記載の降温制御情報テーブルに従って降温制御を実行する。たとえば、画像処理装置１が高速コピージョブを実行する場合、ＡＤＦ２０１が搬送する原稿の枚数が１５０枚になるまで、ＡＤＦ２０１は連続して原稿を搬送し、スキャナユニット２０５によって原稿の読み取りを行う。１５１枚目以降の原稿については、当該原稿を排紙した後に、ＣＰＵ１０１が６秒間ＡＤＦモータ３１２の駆動を停止させる。そして、６秒後に再度、ＣＰＵ１０１がＡＤＦモータ３１２を駆動させて、ＡＤＦ２０１は原稿の搬送を再開する。そして、最後に原稿の搬送を完了してから５分後に以降にコピージョブの実行が指示された場合、ＣＰＵ１０１はスキャナ・カウントをリセットする。一方、最後に原稿の搬送を完了してから５分以内に、コピージョブの実行が指示された場合、画像処理装置１は引き続き降温制御を実行する。
【００６４】
本実施形態では、図５に記載したように「スキャン枚数」４０２、「リセット時間」４０３、「モータ停止時間」４０４をジョブの種類によって異なるように設定した。このようにすることで画像処理装置１は、実行するジョブ種に応じて、モータの停止時間や、スキャン・カウントをリセットするまでの時間を変えることができる。
【００６５】
図６は、画像処理装置１が降温制御中のモータの動作を示す模式図である。
【００６６】
それぞれのジョブ種において、スキャン・カウンタのカウントが「スキャン枚数」４０２以上になった場合、ＡＤＦモータ３１２が図６に記載の動作をする。５０１はＡＤＦモータ３１２が駆動されて、原稿が搬送されている期間を示している。ＡＤＦ２０１は５０１の間に給紙トレイ２０２から原稿を１枚搬送して排紙トレイ２０３に排紙する。５０２はＡＤＦモータ３１２が停止している期間である。５０２の長さは、図５に示す降温制御情報テーブルの「モータ停止時間」４０４により決定される。図６において５０２の長さは、「ファクシミリ送信ジョブ」で３秒、「コピージョブ・スキャンジョブ」で５秒、「高速コピージョブ」で６秒である。このとき、ファクシミリ送信ジョブの５０２はコピージョブ・スキャンジョブの５０２や高速コピージョブの５０２よりも短い時間に設定される。このようにすることで、ファクシミリ送信ジョブでは、送信する画像データがないことによる通信エラーの発生を防ぐことができる。一方で、コピージョブ・スキャンジョブ、高速コピージョブは、ファクス送信ジョブよりもモータの温度の上昇を抑制することができ、ジョブの実行後にモータの温度が下がるまでの時間を短くすることができる。
【００６７】
図７、図８を用いて本実施形態におけるスキャン処理を説明する。
【００６８】
図７に記載のフローチャートを実行するためのプログラムは、画像処理装置１のＲＯＭ１０３に記憶されており、ＣＰＵ１０１が当該プログラムを読み出して実行することにより処理が実現される。
【００６９】
図７に記載の処理は、メニュー領域６０１から「コピー」「高速コピー」「ファクシミリ送信」「スキャンして保存」のいずれかが選択された状態で、ユーザがスタートキー６０５を押下したことによって開始される。
【００７０】
まず、ＣＰＵ１０１は操作部１１１を介して設定されたジョブの種類と設定値をＲＡＭ１０２に格納する（Ｓ１０１）。ジョブの種類とは、スタートキー６０５が押下されたときにディスプレイ６００に表示されているジョブの種類である。たとえば、ディスプレイ６００の機能表示領域６０２に「コピー」が表示されている場合、ＣＰＵ１０１はＲＡＭ１０２にジョブ種としてコピージョブを記憶する。ディスプレイ６００の機能表示領域６０２に「高速コピー」が表示されている場合、ＣＰＵ１０１はＲＡＭ１０２にジョブ種として高速コピージョブを記憶する。ディスプレイ６００の機能表示領域６０２に「ファクシミリ送信」が表示されている場合、ＣＰＵ１０１はＲＡＭ１０２にジョブ種としてファクシミリ送信ジョブを記憶する。ディスプレイ６００の機能表示領域６０２に「スキャンして保存」が表示されている場合、ＣＰＵ１０１はＲＡＭ１０２にジョブ種としてスキャンジョブを記憶する。設定値とは、ディスプレイ６００の機能表示領域６０２に表示される画面を介してユーザが設定したジョブの設定値である。
【００７１】
次に、ＣＰＵ１０１は、ＡＤＦ２０１の給紙トレイ２０２に原稿が載置されているか否かを判定する（Ｓ１０２）。ＡＤＦ２０１は、不図示の原稿の載置を検知するセンサを備える。ＣＰＵ１０１は上記のセンサの検知結果を取得し、ＡＤＦ２０１の給紙トレイ２０２に原稿が載置されているか否かを判定する。
【００７２】
ＡＤＦ２０１に原稿が載置されている場合、ＣＰＵ１０１は図８で後述するＡＤＦスキャン処理を実行する（Ｓ１０３）。ＡＤＦ２０１の給紙トレイ２０２に載置された全ての原稿の読み取りを終了した後、ＣＰＵ１０１は図７に記載の処理を終了する。
【００７３】
Ｓ１０２において、給紙トレイ２０２に原稿がないと判定した場合、ＣＰＵ１０１は処理をＳ１０４に進める。給紙トレイ２０２に原稿が載置されていない場合とは、原稿がプラテンガラス２０４に載置された場合である。Ｓ１０４において、ＣＰＵ１０１は、プラテンガラス２０４上に置かれた原稿を読み取る。ＣＰＵ１０１は、スキャナモータ駆動回路３２１を介して、スキャナモータ３２２を駆動させ、スキャナユニット２０５でプラテンガラス２０４上に置かれた原稿を読み取る。
【００７４】
原稿の読み取りが完了した後、ＣＰＵ１０１は続けて読み取る原稿があるか否かを判定する（Ｓ１０５）。ＣＰＵ１０１は、ディスプレイ６００に続けて読み取る原稿があるかをユーザに問い合わせる画面を表示する。ＣＰＵ１０１は操作部１１１を介して受け付けられたユーザ操作に従って、次に読み取る原稿があるか否かを判定するものとする。ここで継続読取が指示された場合、ＣＰＵ１０１はスキャナ１１２を用いてプラテンガラス２０４に載置された原稿をスキャンする。一方、Ｓ１０５において次に読み取る原稿がないと判定された場合、ＣＰＵ１０１は図７に記載の処理を終了する。
【００７５】
図８は、本実施例における画像処理装置１のＳ１０４に記載のＡＤＦスキャンの処理を示したフローチャートである。図８に記載の処理を実行するためのプログラムは、ＲＯＭ１０３に記憶されており、ＣＰＵ１０１がＲＯＭ１０３からプログラムを読み出して実行することにより処理が実現される。
【００７６】
ＣＰＵ１０１は、ＮＶＲＡＭ１１５に記憶された「スキャン完了後の経過時間」と、ＲＡＭ１０２に記憶されたジョブ種を取得する（Ｓ２０１）。「スキャン完了後の経過時間」は、画像処理装置１が降温制御をしている間、原稿の搬送を完了してから、次の原稿が搬送されるまでの時間を計測したものである。「スキャン完了からの経過時間」の初期値は０秒であり、画像処理装置１が降温制御をしていない場合、「スキャン完了からの経過時間」は０秒に設定されている。降温制御を開始した後、ＡＤＦ２０１が最後に原稿を搬送してからリセット時間が経過するよりも前にＡＤＦ２０１で原稿を搬送するジョブが開始されることがある。このとき、スキャン・カウンタには、ひとつ前のジョブの最後の原稿が搬送されるまでに連続して搬送された原稿の枚数が記憶されている。ＣＰＵ１０１は、ＲＯＭ１０３に格納された降温制御情報テーブルから、Ｓ２０１において取得したジョブ種に対応するスキャン枚数４０２、リセット時間４０３、モータ停止時間４０４を取得する（Ｓ２０２）。
【００７７】
その後、ＣＰＵ１０１は、Ｓ２０１において取得したスキャン完了後の経過時間がＳ２０２において取得したリセット時間４０３を超過しているか否かを判定する（Ｓ２０３）。スキャン完了後の経過時間がリセット時間４０３以下の場合、ＣＰＵ１０１は後述するＳ２０６に処理を進める。スキャン完了後の経過時間がリセット時間４０３以下の場合とは、原稿の搬送を完了してから、リセット時間４０３が経過する前に次の原稿の搬送が開始された場合である。このとき、ＡＤＦモータ駆動回路３１１により駆動されるＡＤＦモータ３１２の温度は十分に下がっていない可能性がある。そのため、ＣＰＵ１０１はスキャン・カウントをリセットすることなく、Ｓ２０６以降の処理を実行する。
【００７８】
Ｓ２０３において、スキャン完了後の経過時間がリセット時間４０３を超えている場合、ＣＰＵ１０１はＮＶＲＡＭ１１５に記憶されているスキャン・カウントをリセットして０にする（Ｓ２０４）。スキャン完了後の経過時間がリセット時間４０３を超えている場合、ＡＤＦモータ３１２の温度は十分に下がっていると考えられる。そこで、ＣＰＵ１０１は、スキャン・カウントを０にリセットして、降温制御が継続して行われないよう制御する。
【００７９】
次に、ＣＰＵ１０１は、スキャン完了後の経過時間の計測を停止して、計測された時間をＮＶＲＡＭ１１５に記憶する（Ｓ２０５）。Ｓ２０５においてＡＤＦモータ３１２の温度は十分に下がっているため、ＣＰＵ１０１はＮＶＲＡＭ１１５に記憶されるスキャン完了後の経過時間の計測を停止する。
【００８０】
続いて、ＣＰＵ１０１はＡＤＦモータ駆動回路３１１およびスキャナモータ駆動回路３２１を制御して原稿を搬送路Ｐ上の所定の読取位置まで搬送し、スキャナユニット２０５を用いて原稿を読み取る（Ｓ２０６）。Ｓ２０６において、原稿を読み取ることにより生成された画像データはＲＡＭ１０２に記憶される。ＲＡＭ１０２に記憶された画像データは、Ｓ２０１において取得されたジョブの種類に基づいて、それぞれのジョブの種類に対応した処理が開始される。たとえば、コピージョブ、高速コピージョブであれば、ＣＰＵ１０１がプリンタＩ／Ｆ１０７を介してプリンタ１１３を駆動し、画像の印刷を開始する。また、ファクス送信ジョブであれば、ＣＰＵ１０１はファクシミリＩ／Ｆ１０４を介して画像データをファクス送信する。また、スキャンジョブであれば、ＣＰＵ１０１はＲＡＭ１０２に記憶された画像データをＵＳＢＩ／Ｆ１１６を介して、画像処理装置１に接続されるＵＳＢメモリに記憶する。
【００８１】
ＣＰＵ１０１はＳ２０６において搬送された原稿の読み取りが完了したか否かを判定する（Ｓ２０７）。ＡＤＦ２０１は、不図示のセンサで搬送された原稿が排紙トレイ２０３に排紙されたことを検知する。ＣＰＵ１０１は上記のセンサの検知結果を取得して、読取の完了した原稿が排紙されたかを判定する。読み取りの完了した原稿が排紙されたことに従って、Ｓ２０７においてＣＰＵ１０１は、原稿の読み取りが完了したと判定する。Ｓ２０７において、１枚分の原稿の読み取りが完了していないと判定された場合、ＣＰＵ１０１はＳ２０６に処理を戻し、読み取りが完了していない当該原稿の読み取りを行う。
【００８２】
１枚分の原稿の読み取りが完了している場合、ＣＰＵ１０１は、ＮＶＲＡＭ１１５に記憶されているスキャン・カウンタの値を１カウントアップする（Ｓ２０８）。スキャン・カウンタは、ＡＤＦ２０１が原稿の搬送を開始するまでは０枚である。スキャン・カウンタは、ＡＤＦ２０１が原稿の搬送を開始した後、連続して搬送される原稿の枚数をカウントする。
【００８３】
スキャン・カウンタをカウントアップした後、ＣＰＵ１０１はＳ２０２において取得されたスキャン枚数４０２を読み出す。そして、ＣＰＵ１０１はスキャン・カウンタがスキャン枚数４０２よりも大きいかを判定する（Ｓ２０９）。本実施形態において、画像処理装置１が降温制御を開始する条件は、スキャン・カウンタが降温制御情報テーブルに記憶されたスキャン枚数４０２を超えることである。
【００８４】
スキャン・カウンタのカウント数がスキャン枚数４０２以下の場合、ＣＰＵ１０１はＳ２１２に後述する処理を実行する。スキャン・カウンタがスキャン枚数４０２以下の場合、画像処理装置１のＡＤＦモータ３１２の温度は所定の温度よりも低く、ＡＤＦ２０１が連続して原稿を搬送することのできる状態である。そこで、画像処理装置１は降温制御を行うことなく、次の原稿の搬送を実行する。
【００８５】
スキャン・カウンタのカウント数がスキャン枚数４０２より大きい場合、ＣＰＵ１０１は後述するＳ２１０の処理を実行する。スキャン・カウンタのカウント数がスキャン枚数４０２よりも大きい場合、ＡＤＦ２０１はスキャン枚数４０２を超える枚数の原稿を連続して搬送している。そのため、ＡＤＦモータ３１２の温度が上がってしまっている可能性がある。そこで、画像処理装置１はＳ２１０、Ｓ２１１に記載の降温制御を実行する。
【００８６】
Ｓ２１０において、ＣＰＵ１０１はＡＤＦモータ駆動回路３１１を制御して、ＡＤＦモータ３１２を停止させる。ＣＰＵ１０１はＳ２０２において取得されたモータ停止時間４０４の時間だけ、ＡＤＦモータ３１２の駆動を停止させる。
【００８７】
そして、ＣＰＵ１０１はＮＶＲＡＭ１１５に記憶されているスキャン完了後経過時間をリセットして、スキャン完了後の経過時間の計測を開始する（Ｓ２１１）。このようにすることで、画像処理装置１は、降温制御を行っている間に最後に原稿の搬送を完了してから次の原稿を読み取るまでの時間を計測することができる。そして、計測されたスキャン完了後からの経過時間が降温制御情報テーブルのリセット時間を超えたことに従って、ＡＤＦモータ３１２の温度が十分に下がったと判定することができる。
【００８８】
その後、ＣＰＵ１０１は、ＡＤＦ２０１の給紙トレイ２０２に次に読み取る原稿があるかを判定する（Ｓ２１２）。Ｓ２１２においてＣＰＵ１０１が実行する処理は、図７のＳ１０１に記載の処理と同様の処理である。ＣＰＵ１０１はＡＤＦ２０１に備えられた不図示のセンサの検知結果を取得して、給紙トレイ２０２に原稿が載置されているか否かを判定する。Ｓ２１２において、ＡＤＦ２０１の給紙トレイ２０２に原稿が載置されていないと判定された場合、ＣＰＵ１０１は図８に記載の処理を終了し、ＡＤＦスキャン処理を終了する。一方で、ＡＤＦ２０１の給紙トレイ２０２に原稿が載置されている場合、ＣＰＵ１０１は、Ｓ２０６に処理を戻す。
【００８９】
本実施形態では、ＡＤＦ２０１の給紙トレイ２０２に原稿が載置されていない場合にＡＤＦスキャン処理を終了するとした。Ｓ２１２において、ＡＤＦ２０１の給紙トレイ２０２に原稿が載置されていない場合、ユーザに原稿の読み取りを続けるか否かを問い合わせるとしてもよい。たとえば、Ｓ２１２において、ＡＤＦ２０１の給紙トレイ２０２に原稿が載置されていない場合、ＣＰＵ１０１がディスプレイ６００に原稿の読み取りを続けるか否かを選択する画面を表示する。ユーザはＡＤＦ２０１の給紙トレイ２０２にこれから読み取る原稿を載置し、画像処理装置１に原稿の読み取りを続けることを指示する。ＣＰＵ１０１はユーザからの当該指示に従って、処理をＳ２０３に戻すとしてもよい。
【００９０】
本実施形態では、モータが長時間使用され、モータの温度が高くなっているときに、原稿の排紙が完了してから、次の原稿が排紙されるまでにモータの駆動を停止されるモータ停止時間を設けた。このようにすることで、画像処理装置１がファン等、モータの温度が上昇してしまうのを抑制する構成を有さなくても、原稿を搬送するローラを駆動するモータの温度が上がりすぎてしまうのを防ぐことができる。
【００９１】
また、本実施形態では、ジョブの種類ごとにモータ停止時間４０４を変える。このようにすることで、原稿の読み取り間隔を所定の時間よりも長くできない第１のジョブ種のジョブでは、モータの停止時間を当該所定の時間よりも短くすることで原稿の読み取り間隔が所定の時間よりも長くならないようにすることができる。一方で、上記第１のジョブ種と異なる第２のジョブ種のジョブでは、モータの停止時間を原稿の搬送の間隔を第１のジョブ種のジョブを実行するときよりも短くする。このようにすることで、原稿の読み取りを完了した後に、モータの温度が下がるまでにかかる時間を第１のジョブ種よりも短くすることができる。
【００９２】
また、本実施形態では、ＡＤＦ２０１が搬送した原稿の枚数をスキャン・カウンタでカウントし、スキャン・カウンタのカウント数をスキャン枚数４０２と比較することで、降温制御を行うか否かを判定した。このようにすることで、ＡＤＦモータ３１２の温度を実際に計測する機構や、ＡＤＦモータ３１２の温度を推定する機構を有さなくても、ＡＤＦモータ３１２の温度が所定の温度より高くなる前に、画像処理装置１が降温制御を開始することができる。
【００９３】
（その他の実施形態）
本実施形態では、スキャン・カウンタが降温制御情報テーブルのスキャン枚数４０２以上となったことを条件に、ＣＰＵ１０１が降温制御を行うこととして説明した。ＣＰＵ１０１が降温制御を開始する条件は上記の方法に限らない。例えば、スキャナ１１２がＡＤＦモータ３１２の温度を計測する計測手段を有し、計測手段により計測された温度が所定の温度を超えたことに従って、ＣＰＵ１０１が降温制御を開始するとしてもよい。このとき、降温制御中に計測手段により計測される温度が所定の温度よりも低くなったことに従って、ＣＰＵ１０１は降温制御を終了するとしてもよい。上記の所定の温度とは、ＡＤＦモータ３１２を使用することのできる限界の温度よりも低い、予め決められた温度である。
【００９４】
また、ＮＶＲＡＭ１１５がＡＤＦモータ３１２の連続駆動時間を記憶するとし、ＣＰＵ１０１がＮＶＲＡＭ１１５から読み出されるＡＤＦモータ３１２の駆動時間に基づいて降温制御を行うか否かを判定するとしてもよい。たとえば、ＡＤＦモータ３１２の駆動時間からが所定の閾値よりも長ければ、ＣＰＵ１０１が降温制御を行い、駆動時間が所定の閾値よりも短ければＣＰＵ１０１は降温制御を行わないとする。または、ＣＰＵ１０１がＡＤＦモータ３１２の駆動時間および、停止時間からＡＤＦモータ３１２に蓄えられる熱量を推定し、当該熱量が所定の熱量よりも多い場合に降温制御を行うとしてもよい。
【００９５】
本実施形態では、降温制御情報テーブルのジョブ種４０１を「高速コピージョブ」「ファクス送信ジョブ」「スキャンジョブ」の３種類に分けた。ジョブ種の分け方は上記の方法に限らない。例えば、ジョブ種４０１を「ファクス送信ジョブ」「その他のジョブ」の２種類に分けるとしてもよい。この場合、ファクス送信ジョブのモータ停止時間４０４は、ファクス送信時に連続して原稿が読み取られなくても通信エラーが発生しない時間に設定される。一方、その他のジョブのモータ停止時間４０４は、ファクス送信ジョブのモータ停止時間４０４よりも長くする。このようにすることで、ファクス送信ジョブでは、通信エラーを起こさずに、ＡＤＦモータ３１２の温度の上昇を抑制し、その他のジョブでは、ジョブ終了後にモータの温度が下がるまでの時間を短くすることができる。
【００９６】
また、本実施形態では、降温制御中のモータの停止時間を予め決められた時間に設定するとした。ユーザがモータの停止時間を設定できるとしてもよい。このとき、ユーザが設定することのできる停止時間の下限は、モータの温度の上昇を抑制できる時間とし、設定することのできる停止時間の上限は、原稿の搬送が中断されていなくてもジョブが中断されない時間とする。また、画像処理装置１は、ユーザに設定された停止時間に応じて、スキャン枚数４０２、リセット時間４０３を変えるとしてもよい。
【００９７】
また、本実施形態では、コピージョブ・スキャンジョブ、高速コピージョブのモータ停止時間を、ファクス送信ジョブのモータ停止時間よりも長くすると説明した。コピージョブ・スキャンジョブ、高速コピージョブのモータ停止時間を、ファクス送受信時に受信側の画像処理装置が受信する画像データがないことにより通信が途切れるまでの時間よりも長くするとしてもよい。すなわち、Ｇ３規格を用いたファクス送信を行う画像処理装置において、コピージョブ・スキャンジョブ、高速コピージョブのモータ停止時間をＧ３規格で決まる６秒よりも長い時間としてもよい。
【００９８】
本発明は、以下の処理を実行することによっても実現される。即ち、上述した実施例の機能を実現するソフトウェア（プログラム）をネットワーク又は各種記憶媒体を介してシステム或いは装置に供給し、そのシステム又は装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2019068245.tif 000003
【図２】
2019068245.tif 000004
【図３】
2019068245.tif 000005
【図４】
2019068245.tif 000006
【図５】
2019068245.tif 000007
【図６】
2019068245.tif 000008
【図７】
2019068245.tif 000009
【図８】
2019068245.tif 000010